(57)【要約】      （修正有）【課題】便箋等の用紙において、折り目の目安となるマークをつけることで、綺麗にかつ容易に３つ折が出来るようにした用紙を提供する。【解決手段】便箋等の用紙３を封筒に収納する際、封筒の大きさに合致するために用紙３が、Ｂ５版、Ａ４判であると通常は３等分以上に折り畳まなければならない。この際、目安となるマーク１（例えば短い線や点、三角マーク等のマーク）を印刷したり、さらに各マークに色付けをしたり、折り畳み数の種類によってマークを換えておくことで二つ折り〜複数折りする上で、色やマークで確認しながら折り畳むことができる。両側端にマーク１を付した便箋であれば、上側の両端に同位置に設けたマーク１を目安に折り付け、さらに下側の両端の同位置に設けたマーク１を目安に折り付けることにより、均一に３等分に三つ折りすることが極めて簡単にできる。【選択図】図１
0003176651.tif 000002
【実用新案登録請求の範囲】
【請求項１】
便箋等の用紙において、縦長の側端に３以上に等分できる２ヶ所以上のマークを設けたことを特徴とする折り目の目安にするマークを有する便箋等の用紙。
【請求項２】
請求項１に記載の折り目の目安にするマークに加えて、さらに側端の中心部に二つ折り用の目安となるマーク、またはファイリングするための穴をパンチで開ける目安にもなるマークを有することを特徴とする折り目の目安にするマークを有する便箋等の用紙。
【考案の詳細な説明】
【技術分野】
【０００１】
本考案は、便箋やコピー用紙等（以下、便箋等という）の用紙を封筒に挿入する際、特に８０円切手で郵送する場合の第一種定形封筒に、Ｂ５版、Ａ４版等の用紙を挿入する場合、三つ折り以上にしないと挿入できない。この場合に簡単に三つ折り以上の折り畳みができるように便箋等の用紙に３以上の等分に折り畳めるように端部に２ヶ所以上のマークを設けた折り目の目安を有する便箋等の用紙に関するものである。
【背景技術】
【０００２】
従来の技術としては、紙に二つ折りできる折り目を施し、紙を折り畳んだ際、主にその外折れ側となる面に粘着剤を施した折り目入り粘着剤付きメモ用紙（例えば、特許文献１参照）が存在している。
【特許文献１】特開平８−２１４６号公報（特許請求の範囲の欄、発明の詳細な説明の欄の欄、及び図１〜図４を参照）
【考案の開示】
【考案が解決しようとする課題】
【０００３】
従来技術である折り目入り粘着剤付きメモ用紙に設けられた折り目は、外折れ側の粘着剤付き面に沿って折れるように外折れ側の粘着剤付き面より少し離れた位置に折り目を施したものであって、次のような問題点があった。
従来、用紙を二つ折りする場合は、上、下、あるいは左右の端部を揃えるように折り曲げながら合わせて折り付ければ、二つ折りは行うことができる。また、前記の従来技術のように、メモ用紙の文字書き込みスペースを最大限にして、なおかつ文字を見るのに極めて有効である。
しかし、三つ折り以上にするには、見当を付けて三つ折り以上しても、略均等に３以上の等分に折ることは極めて難しく、１回折り目を付けてしまうと、後で略均等に３以上の等分に折ると、最初の折り目が不体裁になるという問題点があった。
【課題を解決するための手段】
【０００４】
上記課題を解決するための本考案明の第１考案は、請求項１に記載された通りの折り目の目安にするマークを有する便箋等の用紙であり、次のようなものである。
便箋等の用紙において、縦長の側端に３以上の等分にできる２ヶ所以上のマークを設ける構成である。
【０００５】
上記課題を解決するための本考案の第２考案は、請求項２に記載された通りの折り目の目安にするマークを有する便箋等の用紙であり、次のようなものである。
請求項１に記載の発明に加えて、さらに側端の中心部に二つ折り用の目安、またはファイリングするための穴をパンチで開ける目安にもなるマークを有する構成である。
【考案の効果】
【０００６】
本考案に係る折り目の目安にするマークを有する便箋等の用紙は、上記説明のような構成を有するので、以下に記載する効果を奏する。
（１）便箋等の用紙を３等分以上に等分して折り畳む場合、一側端部、あるいは両側端部に設けたマークを目安にして折り畳むことで、極めて簡単に３〜数等分に綺麗に折り畳むことができる。
（２）縦長の用紙の両側端部に設けたマークを利用して、綺麗に折り畳む際、左右のマークをつなぐように「物差し」等、薄い板状のものを添えて折り畳むと簡単に折り畳むことができる。
【図面の簡単な説明】
【０００７】
【図１】本考案の折り目の目安にするマークを有する便箋等の用紙の第一実施例を示す概略平面図である。
【図２】本考案の折り目の目安にするマークを有する便箋等の用紙の第二実施例を示す概略平面図である。
【考案を実施するための形態】
【０００８】
便箋等の用紙において、縦長の側端に３以上の等分にできる２ヶ所以上のマークや、さらに側端の中心部に二つ折り用の目安、またはファイリングするための穴をパンチで開ける目安にもなるマークを有する折り目の目安にするマークを有する便箋等の用紙である。
【実施例】
【０００９】
以下、本考案の実施例について説明する。
図１は、本考案の第一実施例を示す平面図であり、便箋等の用紙３を封筒に収納する際、封筒の大きさに合致するために用紙３が、Ｂ５版、Ａ４判であると通常は３等分以上に折り畳まなければならない。
この際、目安と感で三つ折り以上に折り畳もうとすると、上手く３等分以上に折り畳むことは困難である。
これを目安となるマーク１（例えば短い線や点、三角マーク等のマーク）を印刷したり、さらに各マークに色付けをしたり、折り畳み数の種類によってマークを換えておくことで二つ折り〜複数折りする上で、色やマークで確認しながら折り畳むことができる。
つまり、図１からも理解できるように、両側端にマーク１を付した便箋であれば、上側の両端に同位置に設けたマーク１を目安に折り付け、さらに下側の両端の同位置に設けたマーク１を目安に折り付けることにより、均一に３等分に三つ折りすることが極めて簡単にできるものである。
尚、図中の符号２は罫線を示すものである。
【００１０】
次に、第二実施例について図２に基づいて説明する。
前記図１で示した第一実施例と相違する点は、上下縦長の両端の中心部に二つ折りする際の目安になるマーク４（このマーク４は、マーク１と違う形状のものを使用するとより良いものである。）を印刷したものである。
その他は図１の第一実施例と同一なので詳細な説明は省略する。
なお、上記実施例では二つ折り、三つ折りのものについて説明したが、四つ折り等種々の折り方の目安となるマークを施すことも可能である。
【産業上の利用可能性】
【００１１】
便箋等の用紙だけでなく、例えば寝具のタオルケット、シーツ、夏掛けカバー等の平らなもので折り畳む必要のあるものであれば、利用することができる。
特に高齢者の場合や、手足が不自由になった場合、毎日のように折り畳むのは大変困難を伴うものであり、同様に折り目の目安になるマークを縦長の両端部に設けることで簡単に折り畳むことができるので極めて有効である。
なお、上記のタオルケット、シーツ、夏掛けカバーが柄物であれば、その目安のマークに換えて、色を変化させて淡い色から濃い色に換える等、境目を利用できるように色の変化を設けることも考えられる。
【符号の説明】
【００１２】
１・・・・３以上の等分用のマーク
２・・・・罫線
３・・・・用紙
４・・・・２等分用のマーク
【図１】
0003176651.tif 000003
【図２】
0003176651.tif 000004